(57)【要約】  着座用構成体１が開示されている。該着座用構成体は、支持フレーム２、シート部４及び背もたれ３を備えている。シート部４は、該シート部４の着座面の下に位置付けられている少なくとも１つの取り付け機構８ａ，８ｂで支持フレーム２に関節接続されている。少なくとも１つの平衡ばね１４がシート部４と支持フレーム２との間に取り付けられている。着座用構成体は、椅子、長椅子又は縦形腰掛けの要素として用いることができる。【選択図】図１
2013508073.tif 000002
【特許請求の範囲】
【請求項１】
支持フレーム（２）、シート部（４）及び背もたれ（３）を備える、着座用構成体（１）であって、
前記シート部（４）は、該シート部（４）の着座面の下に配置されている少なくとも１つの取り付け機構（８ａ，８ｂ）で前記支持フレーム（２）に関節接続され、少なくとも１つの平衡ばね（１４）が前記シート部（４）と前記支持フレーム（２）との間に取り付けられていることを特徴とする、着座用構成体。
【請求項２】
着座用構成体（１）であって、前記シート部（４）は、側部バー（９ａ，９ｂ）、前部バー（１０ａ）及び後部バー（１０ｂ）によって形成されているシートフレームを含み、該シートフレーム又は該シートフレームの突出部は、前記支持フレーム（２）の少なくとも１つの端止め部（１２，１３）間に位置し、該端止め部（１２，１３）は、前記シート部（４）の可能な回転角度を制限していることを特徴とする、請求項１に記載の着座用構成体。
【請求項３】
着座用構成体（１）であって、前記支持フレームは、第１の側部要素（２ａ）及び第２の側部要素（２ｂ）並びに前部フレーム要素（２ｃ）及び後部フレーム要素（２ｄ）を含み、前記取り付け機構（８ａ，８ｂ）は前記側部バー（９ａ，９ｂ）と前記側部要素（２ａ，２ｂ）との間に配置されていることを特徴とする、請求項１に記載の着座用構成体。
【請求項４】
着座用構成体（１）であって、前記取り付け機構は、前記前部要素（２ｃ）から約１／３の距離に配置されていることを特徴とする、請求項３に記載の着座用構成体。
【請求項５】
着座用構成体（１）であって、前記シート部（４）は、水平線から最大１０度、好ましくは５度下方に傾動するように構成されていることを特徴とする、請求項１に記載の着座用構成体。
【請求項６】
請求項１〜５のいずれか一項に記載の着座用構成体（１）を組み込んでいる長椅子。
【請求項７】
請求項１〜５のいずれか一項に記載の着座用構成体（１）を組み込んでいる縦形腰掛けであって、フラップ（１６）が第１の端で前記シート部（４）の延長部として該シート部（４）に関節接続され、前記フラップはまた、前記第１の端から離れた第２の端で前記支持フレームに関節接続されていることを特徴とする、縦形腰掛け。
【請求項８】
前記フラップは、弾性ジョイント（１７ａ，１７ｂ）で前記シート部に接続されていることを特徴とする、請求項７に記載の縦形腰掛け。
【請求項９】
弾性ジョイント（１７）であって、
両円錐形の筒状体（１９）と、該筒状体の中間にカラーとを含み、前記ジョイントは、適したポリマー材料で製造されていることを特徴とする、弾性ジョイント。
【請求項１０】
弾性ジョイント（１７）であって、前記筒状体は、完全に又は部分的に前記スタブを閉鎖する内壁（２１）を含んでいることを特徴とする、請求項９に記載の弾性ジョイント。
【請求項１１】
請求項１〜５のいずれか一項に記載の着座用構成体（１）を組み込んでいる椅子。
【発明の詳細な説明】
【技術分野】
【０００１】
本発明は、長椅子、肘掛け椅子又は縦形腰掛け（寝椅子）又は同様物のための着座用構成体（ｓｉｔｔｉｎｇ ａｒｒａｎｇｅｍｅｎｔ）に関する。特に、本発明は、調整可能なシート又は傾動シートを有する着座用構成体に関する。
【背景技術】
【０００２】
特許文献１から、シートがその後縁の起立構成部により傾動することができる長椅子が知られている。しかしながら、この傾動機構は、背支持として働く傾動した枕にシートを変形させるのに適しているにすぎない。
【０００３】
さらに、本出願人によって製造されている、ストレスレス（ＳｔｒｅｓｓＬｅｓｓ）シリーズの長椅子の幾つかのモデルでは、各シート部を押してより後方の位置又はより持ち上がった位置にさせる湾曲した摺動ガイドがシート及び背部にある。
【０００４】
しかしながら、従来技術の解決策は全て、多くの協働する要素によって極めて複雑化している。このことは、費用のかかる製造、したがって製品の高価格の一因であり、製品の「快適範囲」、すなわち使用者が長椅子に座るか又は横になるのに快適な位置を制限する可能性がある。
【先行技術文献】
【特許文献】
【０００５】
【特許文献１】独国特許出願公開第１０２００４０１号
【発明の概要】
【発明が解決しようとする課題】
【０００６】
本発明の目的は、使用者の快適な位置の数を制限することなく、又は製品の価格を大幅に上げることなく、傾動シートによる改善された快適性を有する長椅子又は他の着座用／リクライニング用の家具を提供することである。
【課題を解決するための手段】
【０００７】
これは、長椅子、肘掛け椅子又は縦形腰掛けに組み込まれるのに適している、請求項１に記載の着座用構成体において達成される。
【０００８】
ここで、本発明を添付の図面における実施形態によって更に説明する。
【図面の簡単な説明】
【０００９】
【図１】クッション（ｂｏｌｓｔｅｒｉｎｇ）が取り外されている、傾動シートを有する着座用構成体の斜視図である。
【図２】側壁が取り外されている、着座用構成体の側面図である。
【図３】シートが下方に傾動している、対応する側面図である。
【図４】着座用構成体の前面図である。
【図５】着座用構成体を上から見た図である。
【図６】本発明の着座用構成体を用いる縦形腰掛けの平面図、長手方向断面図及び側面図であり、クッションが全くなく、シートが第１の平坦な位置にある、縦形腰掛けが示されている。
【図７】シートが第２の位置にある縦形腰掛けを示す図である。
【図８ａ】弾性ジョイントが組み込まれている、縦形腰掛けの細部の斜視図である。
【図８ｂ】弾性ジョイントが組み込まれている、縦形腰掛けの細部の断面図である。
【図９】縦形腰掛けとして実現された、本発明による着座用構成体を組み込んでいる家具の例の斜視図である。
【図１０】長椅子として実現された、本発明による着座用構成体を組み込んでいる家具の例の斜視図である。
【発明を実施するための形態】
【００１０】
図１は、本発明による着座用構成体を示している。同図では、２つの着座用構成体が並んで取り付けられており、２シート長椅子を形成している。本発明は、芯構成部材としていかなる着座用家具にも組み込むことができる着座用構成体に関するものである。同図には、フレーム構造部、シート部及び背もたれしか示されていない。着座用構成体は、椅子又は長椅子に組み込まれる場合、当然のことながら、側板、クッション、枕等が設けられることになる。
【００１１】
着座用構成体１は、支持フレーム２、背もたれ３及びシート部４を備えている。支持フレーム２は、頂面及び底面が開いている矩形ボックスを形成する４つの垂直板からなる。この支持フレームは、シート部４、背もたれ３、脚部５等のような、家具を形成している構成部材を取り付けることが意図されている。
【００１２】
したがって、各支持フレームは、第１の側部要素２ａ及び第２の側部要素２ｂ並びに前部フレーム要素２ｃ及び後部フレーム要素２ｄを含んでいる。
【００１３】
シート部４は、シートフレーム６、シートばね７及び少なくとも１つの関節式取り付け機構を含んでいる。この実施形態では、シートフレーム６は、一方が背もたれ３に隣接しているとともに他方が該フレームの前側面に沿って背もたれに平行している２つの主要な真っ直ぐ平行な前部バー９ａ及び後部バー９ｂと、角度付き又は湾曲した２つの平行な側部バー１０ａ，１０ｂとからなる４つの辺を有する正方形のような形状である。シートばね７は、シートフレーム６の前部バー９ａと後部バー９ｂとの間にわたっており、枕又は同様物に対してばね面を形成している。取り付け機構はこの場合、シート部４を支持フレーム２に締結するために側部要素２ａ，２ｂに取り付けられた２つの関節式取り付け機構（ｄｅｖｉｃｅ）８ａ，８ｂとして実現されている。図に示す実施形態では、シートフレームは、該シートフレームの周囲の外側から突出している第３のクロスバー１０ｃを含み、当該クロスバーの端は、支持フレーム上の取り付け機構８ａ，８ｂに懸架されている。取り付け機構は、木材又は金属等の適した材料、好ましくはプラスチックから製造されるベアリングブロックとして実現されている。クロスバーは、シートフレームを補強するものである。しかしながら、別の選択肢は、短い管継手をシートフレームに溶接することであり、これにより取り付け機構を係合させている。
【００１４】
同図に示されている実施形態では、脚を平行にして背中を背もたれにもたせかけた通常の姿勢で着座用構成体上に座っている使用者の膝と臀部との間にヒンジラインが位置するように、取り付け機構８ａ，８ｂが、シート部４を通る中心軸と比較してシート部に対して非対称に取り付けられている。取り付け機構は例えば、シートの前部から３分の１の距離に取り付けることが可能である。本発明は、自動平衡式傾動シートを達成するように取り付け機構を配置することを目的としている。好ましくは、取り付け機構及びそれらの位置がばねと組み合わされることによって傾動の範囲が確定されるため、取り付け機構には、係止手段又はブレーキが具備されていない。
【００１５】
さらに、取り付け機構は、使用者が横たわるとシート部の主に水平なシート角度を得るように構成されているが、使用者が腰掛けると後部が下方に傾動するようになっている。シート部は下方へ、すなわち背もたれ側へ、水平面に比して０度よりも大きく、好ましくは０度〜１０度、より好ましくは３度〜７度、２度〜６度、４度〜８度又は４度〜６度、最も好ましくは約５度の大きいシート角度で傾動している。
【００１６】
シート角度の自動平衡式構成により、腰掛けている場合及び横たわっている場合の双方において使用者への快適感が増すことになる。
【００１７】
図２は、支持フレームの側壁が取り外されている、本発明の着座用構成体を側面図で示している。湾曲した側部バー１０ａ，１０ｂは、後部にシートフレームの外側に突出している端部１１ａ，１１ｂを含んでいる。端部１１ａ，１１ｂはそれぞれ、背もたれの下に位置する２つの端止め部又は端面１２，１３間に配置されている。端止め部１２，１３は、シート部４の後部が下方に傾動したときに側部バーが水平位置にある上側端止め部１２及び下側端止め部１３に対して当接するため、シート部の傾動の角度範囲を画定することになる。しかしながら、シート部４は、これが使用者に平衡を与える場合は端止め部間の所定位置に当接するようにもすることができる。
【００１８】
図４は傾動しているシート部４の正面図である。左側に示す着座用構成体ではシート部４が下方に傾動しているのに対し、右側の構成体のシート部は水平である。１つ又は複数の平衡ばね（ｂａｌａｎｃｉｎｇ ｓｐｒｉｎｇ）１４が、支持フレームと側部バー１０ａ，１０ｂ又は後部バー９ｂとの間に取り付けられている。シート部に荷重が加わっていないか又は平衡を変えるほど十分に荷重が加わっていない場合、平衡ばね１４がシート部４を押して水平位置に配置されることになる。この場合、水平位置とは、着座用構成体が使用されていない場合にとる位置にシートがある無荷重位置すなわち受動位置を意味している。シート部が受動位置にある場合には、水平面から所定の角度をとるように構成することができることに留意されたい。
【００１９】
図４に示す実施形態では、側部バー１０ａ，１０ｂの各端部の下に平衡ばね１４が設けられている。ばねは、下側端止め部１３及び側部バーの端部の下にそれぞれ取り付けられている。シート部４に荷重が加わると、後部に位置するシート部がばねを押下して圧縮することになる。したがって、シート部が特定の抵抗を伴って背もたれ３に対して下方に傾動することになる。使用者は、着座用構成体に「沈み込む」感覚を得て、リラックス感及び快適感が増すことになる。使用者が横になることを望む場合（この場合、ともにつながっている幾つかの着座用構成体からなる長椅子に着座用構成体が組み込まれているものとする）、シート部４上の使用者による体重分布が変わることになる、すなわち、使用者の重心が、平衡ばね１４からの抵抗がシート部４を上方に押して幾つかのシート部の主に水平な面を再形成するようにずれ、例えば食後のうたた寝に横になるのに快適となる。
【００２０】
図に示すように、角度平衡ばねを用いる代わりに、コイルばね、板ばね又は弾性構成体を用いることができる。後部バーの中間に配置されているか又は中間の位置からずれている単一ばねも用いることができる。平衡ばねは、例えば、ねじりばねとして取り付け構成体に配置することもでき、かつ／又は該取り付け構成体と組み合わせることもできる。
【００２１】
任意選択的な実施形態（図示せず）では、取り付け機構は、シート部（その下面）に取り付けられている１つ又は複数のヒンジであって、側部要素間の支持フレームにわたっているバーを把持する、ヒンジを含んでいる。
【００２２】
上述したように、本発明の着座用構成体は、幾つかのタイプの家具に組み込むことができる。図６は、上記着座用構成体を用いる縦形腰掛けを示している。シート部の前部には、ヒンジ点１７ａ，１７ｂにフラップ１６が取り付けられている。フラップはまた、その対向端において、関節式取り付け点１８ａ，１８ｂで支持フレーム２に取り付けられている。シート部４が一方向に傾動すると、フラップ１６が対向する方向に傾動し、したがって、着座面に分断が形成され、縦形腰掛けを使用中の使用者の膝の近くにバンプが形成されることになる。使用者が縦形腰掛けに横になることを選択する場合、シート部は、１人が横になる場合、複数人が腰掛ける場合又は複数人が縦形腰掛けに部分的にかける場合に適した真っ直ぐのひと続きの着座面を形成する受動位置に戻ることになる。
【００２３】
図７は、シート部４を有する縦形肘掛けを第２の位置で示しており、この第２の位置では、シート部は背もたれ３側へ下方に傾動している。シート部を傾動させる際、背もたれ３に隣接する後部バー９ｂが下方に傾動するのに対し、フラップ１６に隣接する前部バー９ａは上方に傾動するようになっている。したがって、フラップ１６がシート部４付近で上方に傾動し、関節式取り付け手段１８ａ，１８ｂ回りに回転すると、フラップ１６及びシート部４は０度を超える角度で合流することになる。これは、例えば、背もたれ３に対して誰かが座ったときの状況である。
【００２４】
従来技術の解決策に比して、本発明の解決策による寝椅子すなわち縦形腰掛けは、シート及びフラップがヒンジ点１７ａ，１７ｂでともにヒンジ接続されていること、及び、さらに、対向する両端に別個に関節懸架されていることを特徴としている。したがって、シート及びフラップが傾動すると、アセンブリがこの傾動を可能にするように拡張可能でなければならない。好ましくは、この拡張は、シート部とフラップとの間のヒンジ点１７ａ，１７ｂでもたらされる。第１の実施形態では、ヒンジは、シートフレーム、及びフラップの内側の対応するフレーム内への設置のために筒状端を有する２部品ヒンジを有する従来のものとすることができる。各ヒンジは、第１の端でフレームに固定することができ、他端では筒状フレームの内側に自由に摺動させることができる。双方の端を自由に摺動させることもできる。したがって、フレームは、シートが上方に傾動すると、ヒンジ点で若干離れるように摺動することになる。
【００２５】
しかしながら、各ヒンジ点１７ａ，１７ｂは好ましくは、図８ａ及び図８ｂに示すように、弾性ジョイントとして実現されている。これは、弾性材料の筒状体１９として設計されている。ジョイントは、両円錐形であり、すなわち両端側へ向かって円錐状になっており、中間にカラー２０が設けられている。ジョイントは好ましくは、筒の内側の中途の壁２１により完全に又は部分的に閉鎖されている。このジョイントは、フレームの筒状端内に摺動するため、取り付けが容易である。ジョイントは、１つの単一片だけからなり、摩耗に十分耐性がある。ジョントは使用の際に軋むことがない。
【図１】
2013508073.tif 000003
【図２】
2013508073.tif 000004
【図３】
2013508073.tif 000005
【図４】
2013508073.tif 000006
【図５】
2013508073.tif 000007
【図６】
2013508073.tif 000008
【図７】
2013508073.tif 000009
【図８ａ】
2013508073.tif 000010
【図８ｂ】
2013508073.tif 000011
【図９】
2013508073.tif 000012
【図１０】
2013508073.tif 000013
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
支持フレーム（２）、シート部（４）及び背もたれ（３）を備える、着座用構成体（１）であって、前記シート部（４）は、側部バー（９ａ，９ｂ）、前部バー（１０ａ）及び後部バー（１０ｂ）によって形成されているシートフレームを含み、前記シート部（４）の着座面の下に位置付けられている少なくとも１つの取り付け機構（８ａ，８ｂ）で前記支持フレーム（２）に関節接続され、少なくとも１つの平衡ばね（１４）が前記シート部（４）と前記支持フレーム（２）との間に取り付けられており、
前記取り付け機構（８ａ，８ｂ）は、脚を平行にして背中を前記背もたれにもたせかけた通常の姿勢で該着座用構成体に座っている使用者の膝と臀部との間に前記ヒンジラインが配置されるように、前記シート部（４）を通る中心軸と比較して前記シート部に非対称に取り付けられ、かつ、前記支持フレームは、第１の側部要素（２ａ）及び第２の側部要素（２ｂ）並びに前部フレーム要素（２ｃ）及び後部フレーム要素（２ｄ）を含み、前記取り付け機構（８ａ，８ｂ）は、前記シート部（４）の前記側部バー（９ａ，９ｂ）と前記支持フレーム（２）の前記側部要素（２ａ，２ｂ）との間に配置されていることを特徴とする、着座用構成体。
【請求項２】
着座用構成体（１）であって、前記シートフレーム又は該シートフレームの突出部は、前記支持フレーム（２）の少なくとも１つの端止め部（１２、１３）間に位置し、該端止め部（１２、１３）は前記シート部（４）の可能な回転角度を制限する、請求項１に記載の着座用構成体。
【請求項３】
着座用構成体（１）であって、前記取り付け機構は前記前部フレーム要素（２ｃ）から約１／３の距離に配置されていることを特徴とする、請求項１又は２に記載の着座用構成体。
【請求項４】
着座用構成体（１）であって、前記シート部（４）は、水平線から最大１０度、好ましくは５度下方に傾動するように構成されていることを特徴とする、請求項１に記載の着座用構成体。
【請求項５】
請求項１〜４のいずれか一項に記載の着座用構成体（１）を組み込んでいる長椅子。
【請求項６】
請求項１〜４のいずれか一項に記載の着座用構成体（１）を組み込んでいる縦形腰掛けであって、フラップ（１６）が第１の端で前記シート部（４）の延長部として該シート部（４）に関節接続され、前記フラップはまた、前記第１の端から離れた第２の端で前記支持フレームに関節接続されていることを特徴とする、縦形腰掛け。
【請求項７】
前記フラップは弾性ジョイント（１７ａ，１７ｂ）で前記シート部に接続されていることを特徴とする、請求項６に記載の縦形腰掛け。
【請求項８】
請求項１〜４のいずれか一項に記載の着座用構成体（１）を組み込んでいる椅子。
【国際調査報告】
2013508073.tif 000014
2013508073.tif 000015
2013508073.tif 000016
2013508073.tif 000017
2013508073.tif 000018